(57)【要約】【課題】  箱に収納した状態で商品を展示した後に再度包装を行うことができると共に、包装状態から展示状態へと容易に移行することができるようにする。【解決手段】  商品収納部５を形成する壁板３と、その高さと同じ距離を隔てた平行な二辺部分にて折り曲げ可能な可曲板２とを備え、可曲板２は、平行な二辺の一方に接し商品収納部５の底部分を覆う底板部２ａと、平行な二辺の他方に接し商品収納部５の開口部を覆う蓋板部２ｃと、底板部２ａと蓋板部２ｃとの間の側板部２ｂとを有しているので、商品展示時には、底板部２ａと蓋板部２ｃとの裏面が向き合うように折り曲げることにより側板部２ｂの高さ分だけ底板部２ａが傾斜し、商品を展示することができ、商品包装時には、底板部２ａと蓋板部２ｃとの表面が向き合うように折り曲げることにより蓋板部２ｃが商品収納部５を塞ぎ、商品を包装することができるようにしている。【選択図】      図１
0003106317.tif 000002
【実用新案登録請求の範囲】
【請求項１】
商品を収納するための商品収納部の周囲を囲むように形成され、所定の高さを有する壁板と、
前記壁板の高さと略同じ距離を隔てた平行な二辺の部分にて折り曲げ可能な可曲板とを備え、
前記可曲板は、前記平行な二辺のうち一方の辺に接し前記商品収納部の底の部分を覆う底板部と、前記平行な二辺のうち他方の辺に接し前記商品収納部の開口部を覆う大きさの蓋板部と、前記底板部と前記蓋板部との間に挟まれ前記壁板の一部に添設される側板部とを有し、
前記底板部に前記壁板が立設されて成る包装展示兼用箱。
【請求項２】
一つ以上の辺を有する底板部と、所定の高さを有し前記底板部に立設された壁板部とを備え、前記底板部及び前記壁板部により商品を収納するための領域が形成された商品収納部と、
前記壁板部の高さと略同じ距離を隔てた平行な二辺の部分にて折り曲げ可能な可曲板とを備え、
前記可曲板は、前記平行な二辺のうちの一方の辺が前記底板部の一辺に接し前記壁板部の一部に添設される側板部と、前記平行な二辺のうちの他方の辺に接し前記商品収納部の開口部を覆う大きさの蓋板部とを有する包装展示兼用箱。
【請求項３】
前記可曲板の裏面の前記平行な二辺上に前記底板部及び前記側板部と前記側板部及び前記蓋板部とを折り曲げる角度を所定の角度に規制するための規制部を形成したことを特徴とする請求項１又は請求項２に記載の包装展示兼用箱。
【請求項４】
前記可曲板の平行な二辺を折り曲げて、前記底板部の裏面と前記蓋板部の裏面とが向き合った際に、前記底板部と前記蓋板部とを係止するための係止部を備えたことを特徴とする請求項１乃至請求項３の何れか一項に記載の包装展示兼用箱。
【請求項５】
前記可曲板の平行な二辺を折り曲げて、前記蓋板部が前記商品収納部の開口部を覆った際に、前記蓋板部を固定する固定部を備えたことを特徴とする請求項１乃至請求項４の何れか一項に記載の包装展示兼用箱。
【請求項６】
前記底板部及び前記蓋板部は、略長方形の形状であり、
前記壁板は、前記底板部の前方に立設された前壁部と、前記底板部の後方に立設された後壁部と、前記底板部の側方に立設された一対の側壁部とにより構成されており、
前記固定部は、前記底板部と前記側壁部との間にそれぞれ設けられた紐状部材により構成されており、
前記紐状部材を結ぶことで前記蓋板部を固定することを特徴とする請求項５に記載の包装展示兼用箱。
【請求項７】
一つ以上の辺を有する底板と、
所定の高さを有し、前記底板に立設された壁板と、
前記底板及び壁板により商品を収納するための領域が形成された商品収納部と、
少なくとも平行な二辺を有し、その一辺を前記底板の辺に接続して、その辺を軸として回動可能とした連結板と、
前記商品収納部の開口部を覆う大きさであり、前記連結板の前記平行な二辺のうち、前記底板に接続された側と反対側の辺に接続し、その辺を軸として回動可能とした蓋板とを備えた包装展示兼用箱。
【考案の詳細な説明】
【技術分野】
【０００１】
本考案は、衣料品等の商品の包装と店頭での展示とに兼用する包装展示兼用箱に関するものである。
【背景技術】
【０００２】
従来、衣料品や菓子等の商品の包装と店頭での商品の展示とを兼用する包装展示兼用箱が知られている。このような包装展示兼用箱としては、前壁、後壁、一対の側壁、底壁を備えた箱本体に、商品を受ける底パッドを挿入し、この底パッドの後端を商品の収納状態で摘み上げ可能とし、前記後壁と各側壁の稜部に箱本体内に押込可能な押込片を設け、商品の陳列する際に、底パッドの後部を持ち上げ、押込片を押込み、底パッドの後部を押込み片に載せることで商品を傾斜展示するものが知られている（例えば特許文献１など）。
【特許文献１】特開２００１−１１４２５８号公報
【０００３】
しかしながら、特許文献１に記載の包装展示兼用箱によれば、商品を展示する際に包装展示兼用箱の蓋板を切り取ってしまうので、一旦、商品を展示してしまうと、再び商品を包装することができなくなってしまうという問題があった。また、底パッドを摘み上げて押込片を押し込む必要があるため、構造が複雑になり、商品の展示が困難になってしまうという問題があった。
【考案の開示】
【考案が解決しようとする課題】
【０００４】
本考案は、前述した問題を解決するために成されたものであり、商品の展示と商品の包装とを兼ねた箱において、商品を箱に入れて展示した後に、その箱を利用して商品を包装することができるようにすることを目的とする。また、商品を包装した状態から商品を展示する状態へ容易に移行することができるようにすることを目的とする。
【課題を解決するための手段】
【０００５】
前述した課題を解決するために、本考案では、商品を収納するための商品収納部の周囲を囲むように形成され、所定の高さを有する壁板と、壁板の高さと略同じ距離を隔てた平行な二辺の部分にて折り曲げ可能な可曲板とを備え、可曲板は、平行な二辺のうち一方の辺に接し商品収納部の底の部分を覆う底板部と、平行な二辺のうち他方の辺に接し商品収納部の開口部を覆う大きさの蓋板部と、底板部と蓋板部との間に挟まれ壁板の一部に添設される側板部とを有し、底板部に壁板が立設されている。
【考案の効果】
【０００６】
上記のように構成した包装展示兼用箱は、商品を展示する際には、底板部の裏面と蓋板部の裏面とが向き合うように、平行な二辺の部分にて可曲板を折り曲げることにより、側板部の高さ分だけ底板部が傾斜するので、商品が箱内に収納されたまま、商品収納部の開口部より商品が見易い状態で、商品を容易に展示することができる。また、商品を包装する際には、底板部の表面と蓋板部の表面とが向き合うように、平行な二辺の部分にて可曲板を折り曲げることにより、蓋板部が商品収納部の開口部を塞ぐので、商品が開口部から飛び出さない状態で、商品を包装することができる。従って、商品を展示する際に使用した箱をそのまま使用して、再び商品を包装することができる。また、包装展示兼用箱の構造を簡単な構造とすることができる。
【考案を実施するための最良の形態】
【０００７】
以下、本考案の実施形態を図面に基づいて説明する。図１は、本実施形態による包装展示兼用箱の構成例を示す図である。また、図２は、本実施形態による包装展示兼用箱の包装状態の例を示す図である。また、図３は、本実施形態による包装展示兼用箱の展示状態の例を示す図である。図１〜図３において、包装展示兼用箱１は、可曲板２、壁板３、紐状部材４、商品収納部５を備えて構成されている。
【０００８】
可曲板２は、その平面形状が略長方形の一枚の板であり、その表面に形成された二箇所の折り目部分（請求項の平行な二辺に該当する）により折り曲げられるようになっている。ここで、二箇所の折り目部分は溝部６により形成されており、互いに平行な辺である。また、溝部６の裏面には、折り曲げられる角度を規制するための規制部７が形成されている。また、可曲板２は、二箇所の溝部６によって底板部２ａ、側板部２ｂ、蓋板部２ｃに分割されている。
【０００９】
底板部２ａは、その平面形状が略長方形であり、その表面に壁板３が立設されている。ここで、壁板３は、前壁部３ａ、後壁部３ｂ、一対の側壁部３ｃを備えて構成されている。また、前壁部３ａと後壁部３ｂとは、互いの面が平行になるように底板部２ａに立設されている。また、一対の側壁部３ｃは、前壁部３ａと後壁部３ｂとを結び、互いの面が平行になるように底板部２ａに立設されている。ここで、前壁部３ａと後壁部３ｂと側壁部３ｃとは同じ稜線を有している。更に、底板部２ａの表面と前壁部３ａと後壁部３ｂと側壁部３ｃとに囲まれた領域は、商品を収納するための商品収納部５である。
【００１０】
側板部２ｂは、後壁部３ｂと略同じ形状を有している。また、可曲板２は、側板部２ｂが後壁部３ｂに重なるように、底板部２ａと側板部２ｂとの間にある溝部６を谷折りにして（規制部７を山折りにして）折り曲げることが可能である。更に、可曲板２は、底板部２ａと側板部２ｂとの間にある溝部６を山折りにして（規制部７を谷折りにして）反対側に折り曲げることが可能である。そして、商品を包装する場合には、可曲板２は、側板部２ｂが後壁部３ｂの外側を覆うように折り曲げられ、商品を展示する場合には、可曲板２は、側板部２ｂが底板部２ａの後壁部３ｂが立設された側を高くし、底板部２ａを傾斜させるように折り曲げられる。
【００１１】
蓋板部２ｃは、商品収納部５の開口部を覆うことができる大きさを有している。また、可曲板２は、蓋板部２ｃが商品収納部５の開口部を覆うように、側板部２ｂと蓋板部２ｃとの間にある溝部６を谷折りにして（規制部７を山折りにして）折り曲げることが可能である。更に、可曲板２は、側板部２ｂと蓋板部２ｃとの間にある溝部６を山折りにして（規制部７を谷折りにして）反対側に折り曲げることが可能である。そして、商品を包装する場合には、可曲板２は、蓋板部２ｃが商品収納部５の開口部を覆うように（底板部２ａの表面と蓋板部２ｃの表面とが向き合うように）、溝部６を谷折りにして（規制部７を山折りにして）折り曲げられる。また、商品を展示する場合には、可曲板２は、蓋板部２ｃが底板部２ａを傾斜させるように折り曲げられた側板部２ｂを支えるように（底板部２ａの裏面と蓋板部２ｃの裏面とが向き合うように）、溝部６を山折りにして（規制部７を谷折りとする）反対側に折り曲げられる。
【００１２】
可曲板２の底板部２ａと壁板３の側壁部３ｃとの間には、商品を包装する場合に、蓋板部２ｃを商品収納部５上に固定するための紐状部材４（請求項の固定部に該当する）が取り付けられている。ここで、蓋板部２ｃが商品収納部５を覆った際に、蓋板部２ｃ上で左右の紐状部材４を互いに結ぶことにより、蓋板部２ｃを固定することができる。なお、紐状部材４として、例えばリボン等を使用することにより、商品を包装する際に、蓋板部２ｃを固定するだけでなく、装飾品としての役割も果たすことができる。
【００１３】
図４は、本実施形態の包装展示兼用箱１における可曲板２の折り曲げ部分の断面の例を示す図である。図４（ａ）において、可曲板２の表面の底板部２ａと側板部２ｂとの間、及び、側板部２ｂと蓋板部２ｃとの間には、溝部６が形成されている。一方、可曲板２の裏面の底板部２ａと側板部２ｂとの間、及び、側板部２ｂと蓋板部２ｃとの間には、規制部７が形成されている。
【００１４】
図４（ｂ）に示すように、商品を包装する場合には、底板部２ａ及び側板部２ｂと側板部２ｂ及び蓋板部２ｃとは、溝部６を谷折りにして（規制部７を山折りにして）折り曲げられる。ここで、側板部２ｂの表面は壁板３の後壁部３ｂに接触し、蓋板部２ｃの表面は壁板３の側壁部３ｃの上面に接触するので、底板部２ａ及び側板部２ｂの成す角度と側板部２ｂ及び蓋板部２ｃの成す角度とは、それぞれ９０°以下にはならない。
【００１５】
一方、図４（ｃ）に示すように、商品を展示する場合には、底板部２ａ及び側板部２ｂと側板部２ｂ及び蓋板部２ｃとは、溝部６を山折りにして（規制部７を谷折りにして）反対側に折り曲げられる。ここで、底板部２ａ及び側板部２ｂと側板部２ｂ及び蓋板部２ｃとは、規制部７の出っ張りによって、それぞれ所定の角度以下に折り曲げることができない。このとき、底板部２ａは側板部２ｂにより傾斜するので、所定の角度は９０°未満となる。
【００１６】
以上、詳しく説明したように、本実施形態による包装展示兼用箱１では、商品を展示する際に、底板部２ａの裏面と蓋板部２ｃの裏面とが向き合うように、底板部２ａと側板部２ｂとの間の溝部６及び側板部２ｂと蓋板部２ｃとの間の溝部６により可曲板２が折り曲げられ、底板部２ａが傾斜するので、商品が包装展示兼用箱１内に収納されたまま、商品収納部５の開口部より商品が見易い状態で、商品を容易に展示することができる。また、側板部２ｂと蓋板部２ｃと規制部７との働きにより商品を安定した状態で展示することができる。
【００１７】
また、商品を包装する際に、底板部２ａの表面と蓋板部２ｃの表面とが向き合うように、底板部２ａと側板部２ｂとの間の溝部６及び側板部２ｂと蓋板部２ｃとの間の溝部６により可曲板２を折り曲げるだけで、蓋板部２ｃが商品収納部５の開口部を塞ぎ、商品が商品収納部５の開口部から飛び出さない状態で、商品を包装することができるので、包装展示兼用箱１をそのまま使用して、展示している商品を包装することができる。また、包装展示兼用箱１を簡単な構造とすることができる。
【００１８】
なお、本実施形態において、底板部２ａ、側板部２ｂ、蓋板部２ｃは、一枚の可曲板２により一体に形成されているが、これに限定されない。例えば、底板、側板（請求項の連結板に該当する）、蓋板をそれぞれ別体とし、底板及び側板、側板及び蓋板をそれぞれ連結するようにしても良い。そして、連結した部分の表面に溝部を形成し、裏面に規制部を形成して、連結した部分を軸として底板に対して側板を回動可能とし、側板に対して蓋板を回動可能としても良い。このとき、商品を包装する場合には、底板及び側板と側板及び蓋板とは、溝部を谷折りにして（規制部を山折りにして）折り曲げられ、商品を展示する場合には、底板及び側板と側板及び蓋板とは、溝部を山折りにして（規制部を谷折りにして）反対側に折り曲げられる。なお、底板及び側板、側板及び蓋板をそれぞれ連結するために蝶番等の連結部材を使用しても良い。ここで、連結部材は、底板及び蓋板の裏面が向き合う方向へ回動する角度が所定の角度以下にならないように規制されている。
【００１９】
また、本実施形態において、商品収納部５は、可曲板２とその上に立設された壁板３とにより形成されているが、これに限定されない。例えば、底板部と壁板部とを一体に形成して商品収納部を構成し、当該商品収納部の裏面に可曲板２の底板部２ａの表面を接着するようにしても良い。このとき、底板部２ａは、商品収納部の底板部と略同じ大きさでも良いし、それより小さくても良い。また、底板部と壁板部とを一体に形成して商品収納部を構成し、底板部と壁板部の後壁部との間に可曲板２（側板部２ｂ及び蓋板部２ｃにより形成されるもの）を接着するようにしても良い。
【００２０】
また、本実施形態において、紐状部材４を用いて蓋板部２ｃを商品収納部５上に固定しているが、これに限定されない。例えば図５に示すように、可曲板２の蓋板部２ｃ側の先端部分にボタンやマジックテープ（登録商標）等を利用した固定部１５を設け、この固定部１５により蓋板部２ｃを壁板３の前壁部３ａに固定するようにしても良い。
【００２１】
また、本実施形態において、底板部２ａ及び側板部２ｂと側板部２ｂ及び蓋板部２ｃとを、規制部７の出っ張りによって、それぞれ所定の角度以下に折り曲げることができないようにしているが、これに限定されない。例えば図６（ａ）に示すように、可曲板２の裏面の底板部２ａと側板部２ｂとの間、及び、側板部２ｂと蓋板部２ｃとの間に断面がＶ字状の溝である溝状の規制部１７を形成しても良い。この場合、商品を包装する場合には、図６（ｂ）に示すように、底板部２ａ及び側板部２ｂと側板部２ｂ及び蓋板部２ｃとは、溝部６を谷折りにして（溝状の規制部１７を山折りにして）折り曲げられる。ここで、側板部２ｂは壁板３の後壁部３ｂに接触し、蓋板部２ｃは壁板３の側壁部３ｃの上面に接触するので、底板部２ａ及び側板部２ｂの成す角度と側板部２ｂ及び蓋板部２ｃの成す角度とは、それぞれ９０°以下にはならない。一方、商品を展示する場合には、図６（ｃ）に示すように、底板部２ａ及び側板部２ｂと側板部２ｂ及び蓋板部２ｃとは、溝部６を山折りにして（溝状の規制部１７を谷折りにして）反対側に折り曲げられる。ここで、底板部２ａ及び側板部２ｂと側板部２ｂ及び蓋板部２ｃとは、溝状の規制部１７の傾斜面同士が接触することによって、それぞれ所定の角度以下に折り曲げることができない。
【００２２】
また、本実施形態において、折り曲げ部分として溝部６を形成しているが、これに限定されない。例えば、折り曲げ部分を規制部７，１７により代用しても良い。
【００２３】
また、本実施形態において、底板部２ａ及び側板部２ｂと側板部２ｂ及び蓋板部２ｃとを、規制部７の出っ張りによって、それぞれ所定の角度以下に折り曲げることができないようにしているが、これに限定されない。例えば、図７に示すように、可曲板２の裏面の底板部２ａと側板部２ｂとの間、及び、側板部２ｂと蓋板部２ｃとの間には、溝部６を形成し、商品を展示する際に、底板部２ａ及び側板部２ｂと側板部２ｂ及び蓋板部２ｃとの角度がそれぞれ所定の角度以下にならないように、底板部２ａと蓋板部２ｂとを係止する係止部３０を設けるようにしても良い。
【００２４】
また、本実施形態において、底板部２ａ及び蓋板部２ｃは略長方形の形状であるが、これに限定されない。本考案による包装展示兼用箱１では、可曲板２が、底板部２ａ及び側板部２ｂの間、側板部２ｂ及び蓋板部２ｃの間の平行な二辺で折り曲げ可能であれば良いので、例えば、包装展示兼用箱１の可曲板１２は、図８に示すような形状としても良い。ここで、可曲板１２は、六角形の底板部１２ａ及び蓋板部１２ｃと、底板部１２ａと蓋板部１２ｃとの間の側板部１２ｂとにより構成されている。このとき、商品収納部５は、底板部１２ａ及び壁板１３により囲まれている。また、壁板１３は、前壁１３ａと、後壁１３ｂと、可曲板１２の底板部１２ａの片側の二辺から立設された側壁部１３ｃ及び側壁部１３ｄと、底板部１２ａのもう一方の片側の二辺から立設された側壁部１３ｅ及び側壁部１３ｆとにより構成されている。
【００２５】
また、包装展示兼用箱１の可曲板２２は、図９に示すような形状としても良い。ここで、可曲板２２は、三角形の底板部２２ａ及び蓋板部２２ｃと、底板部２２ａと蓋板部２２ｃとの間の側板部２２ｂとにより構成されている。このとき、商品収納部５は、三角形の底板部２２ａ及び壁板２３により構成されている。また、壁板２３は、底板部２２ａの側方に立設された一対の側板部２３ａと、後壁部２３ｂとにより構成されている。
【００２６】
また、包装展示兼用箱１の可曲板３２は、図１０に示すような形状としても良い。ここで、可曲板３２は、底板部３２ａ及び蓋板部３２ｃと、底板部３２ａと蓋板部３２ｃとの間の側板部３２ｂとにより構成されている。このとき、商品収納部５は、底板部３２ａ及び壁板３３により囲まれている。また、壁板３３は、底板部３２ａの前方の連続する二辺から立設された前壁部３３ａと、後壁部３３ｂと、一対の側壁部３３ｃとにより構成されている。
【００２７】
また、包装展示兼用箱１の可曲板４２は、図１１に示すような形状としても良い。ここで、可曲板４２は、一部が直線状の略円形状の底板部４２ａ及び蓋板部４２ｃと、底板部４２ａと蓋板部４２ｃとの間の側板部４２ｂとにより構成されている。このとき、商品収納部５は、底板部４２ａ及び壁板部４３により囲まれている。また、壁板４３は、可曲板４２の底板部４２ａの後方に立設された後壁部４３ｂと、底板４２の後壁部４３ｂが立設された部分を除く周囲に立設された周壁部４３ａとにより構成されている。
【００２８】
また、本実施形態において、可曲板２において、底板部２ａと蓋板部２ｃとは略同じ形状であるが、これに限定されない。蓋板部２ｃが商品収納部５を覆うことができれば、その形状はどのような形状であっても良い。
【００２９】
その他、上記実施形態は、本考案を実施するにあたっての具体化の一例を示したものに過ぎず、これによって本考案の技術的範囲が限定的に解釈されてはならないものである。すなわち、本考案はその精神、またはその主要な特徴から逸脱することなく、様々な形で実施することができる。
【産業上の利用可能性】
【００３０】
本考案は、商品の展示及び包装を兼用することができる箱に有用である。
【図面の簡単な説明】
【００３１】
【図１】本実施形態による包装展示兼用箱の構成例を示す図である。
【図２】本実施形態による包装展示兼用箱の包装状態の例を示す図である。
【図３】本実施形態による包装展示兼用箱の展示状態の例を示す図である。
【図４】本実施形態の包装展示兼用箱における可曲板の折り曲げ部分の断面の例を示す図である。
【図５】本実施形態による包装展示兼用箱の固定部の変形例を示す図である。
【図６】本実施形態の包装展示兼用箱による可曲板の折り曲げ部分の変形例を示す断面図である。
【図７】本実施形態による包装展示兼用箱の係止部を設けた例を示す図である。
【図８】本実施形態による包装展示兼用箱の第１の変形例を示す図である。
【図９】本実施形態による包装展示兼用箱の第２の変形例を示す図である。
【図１０】本実施形態による包装展示兼用箱の第３の変形例を示す図である。
【図１１】本実施形態による包装展示兼用箱の第４の変形例を示す図である。
【符号の説明】
【００３２】
１    包装展示兼用箱
２，１２，２２，３２，４２    可曲板
２ａ，１２ａ，２２ａ，３２ａ，４２ａ    底板部
２ｂ，１２ｂ，２２ｂ，３２ｂ，４２ｂ    側板部
２ｃ，１２ｃ，２２ｃ，３２ｃ，４２ｃ    蓋板部
３，１３，２３，３３，４３    壁板
４    紐状部材
５    商品収納部
６    溝部
７    規制部
１７    溝状の規制部
【図１】
0003106317.tif 000003
【図２】
0003106317.tif 000004
【図３】
0003106317.tif 000005
【図４】
0003106317.tif 000006
【図５】
0003106317.tif 000007
【図６】
0003106317.tif 000008
【図７】
0003106317.tif 000009
【図８】
0003106317.tif 000010
【図９】
0003106317.tif 000011
【図１０】
0003106317.tif 000012
【図１１】
0003106317.tif 000013